(57)【要約】【課題】  側壁に外力が加わっても、この外力が内部に収納された表示パネルの側面にそのまま伝達してしまうのを防止することにより、表示パネルの破損を防止する。【解決手段】  液晶表示パネル３の底面３ａを支持する底壁８と、液晶表示パネル３の各側面３ｂに所定の間隙をもって対向する側壁１７とを有し、各側壁１７における液晶表示パネル３の各側面３ｂに対向する内面の両端部分に、液晶表示パネル３の側面３ｂに当接して配置位置を規制する凸部２０を形成し、底壁８の周縁部に凸部２０の突出幅を有するスリット２２を設ける。【選択図】      図１
2007011078.tif 000002
【特許請求の範囲】
【請求項１】
内部に表示パネルを収納する表示パネル用筐体において、
前記表示パネルの底面を支持する底壁と、前記表示パネルの側面に対向する側壁とを有し、
前記側壁における前記表示パネルの側面に対向する内面には、前記表示パネルの側面に当接して前記表示パネルの配置位置を規制するとともに、前記表示パネルの側面と前記側壁との間に外力の伝達を緩衝するための間隙を生じせしめる凸部が形成されていることを特徴とする表示パネル用筐体。
【請求項２】
前記底壁の周縁部には、前記側壁と前記底壁とを離間させるスリットが形成されており、前記底壁と前記側壁とは部分的に連結されている請求項１に記載の表示パネル用筐体。
【請求項３】
前記凸部の形成位置において前記底壁と前記側壁とが部分的に連結されている請求項２に記載の表示パネル用筐体。
【請求項４】
前記スリットの幅は、前記凸部の突出幅とされている請求項２または３に記載の表示パネル用筐体。
【請求項５】
前記凸部は、前記各側壁のうちの少なくとも隣接する２つの側壁に形成されている請求項１、２、３または４に記載の表示パネル用筐体。
【発明の詳細な説明】
【技術分野】
【０００１】
本発明は表示パネル用筐体に係り、特に、内部に収納する表示パネルの各側面に対向するように設けられた側壁を有する表示パネル用筐体に関する。
【背景技術】
【０００２】
従来より、コンピュータや携帯電話等の電気機器の表示装置として、例えば、一対の基板間に封入された液晶を駆動させて文字等の画像を表示する液晶表示パネル等を用いて表示を行う表示装置が多用されている。そして、このような表示装置においては、液晶表示パネル等の表示パネルは、表示パネル用筐体の内部に収納されるようになっている。
【０００３】
図６は、従来の表示パネル用筐体、およびこの表示パネル用筐体の内部に収納された表示パネルの一例を示す模式的平面図、図７は、図６の表示パネル用筐体および表示パネルのＣ−Ｃにおける模式的断面図である。
【０００４】
図６および図７に示すように、従来の表示パネル用筐体２５は、矩形状の表示パネル２６の底面２６ａを支持する矩形状の底壁２７を有し、底壁２７における表示パネル２６を支持する支持面２７ａを除く中央部分であって、表示パネル２６における表示を行う表示領域および表示パネル２６の端子部に対向する位置には、開口２７ｂが形成されている。そして、表示パネル２６の底面２６ａの周縁部は、両面テープ等の接着材２８によって支持面２７ａに固着されるようになっている。
【０００５】
開口２７ｂの内部であって表示領域に対向する部分には、光学フィルムとして、例えば導光板３０が積層して収納されており、また、開口２７ｂの内部であって端子部に対向する部分には、光源としてのＬＥＤが導光板３０の側面に対向するように配置されている。
【０００６】
底壁２７における表示パネル２６を支持する支持面２７ａの周縁部であって表示パネル２６の各側面２６ｂに対向する位置には、各側面２６ｂに近接して４つの側壁３２が立設されている。
【０００７】
しかし、前述のような従来の表示パネル用筐体２５は、各側壁３２が支持面２７ａの周縁部に立設されており、各側壁３２における表示パネル２６に対向する内面は、表示パネル２６の側面２６ｂに近接して形成されている。このため、表示パネル用筐体２５の外側から側壁３２に対して外力が加わると、側壁３２が対向する表示パネル２６の側面２６ｂに当接し、この結果、表示パネル２６の側面２６ｂに前記外力がそのまま伝わって、表示パネル２６に割れ等の破損が発生してしまうおそれがあるという問題を有していた。
【発明の開示】
【発明が解決しようとする課題】
【０００８】
本発明はこれらの点に鑑みてなされたものであり、側壁に外力が加わっても、この外力が内部に収納された表示パネルの側面にそのまま伝達してしまうのを緩衝することにより、表示パネルの破損を防止することができる表示パネル用筐体を提供することを目的とする。
【課題を解決するための手段】
【０００９】
前記目的を達成するため、請求項１に記載の発明に係る表示パネル用筐体の特徴は、内部に表示パネルを収納する表示パネル用筐体において、前記表示パネルの底面を支持する底壁と、前記表示パネルの側面に対向する側壁とを有し、前記側壁における前記表示パネルの側面に対向する内面には、前記表示パネルの側面に当接して前記表示パネルの配置位置を規制するとともに、前記表示パネルの側面と前記側壁との間に外力の伝達を緩衝するための間隙を生じせしめる凸部が形成されている点にある。
【００１０】
この請求項１に記載の発明によれば、表示パネル用筐体の各側壁は、表示パネルの各側面から所定の間隙をもって配置されているので、たとえ表示パネル用筐体の外側から各側壁に対して外力が加わっても、側壁の内面が表示パネルの側面に当接してしまうのを緩衝することができる。この結果、表示パネルの側面に外力が伝達されて表示パネルに割れ等の破損が発生するという難点が解消される。さらに、側壁に設けられた凸部によって表示パネルを支持することができ、表示パネルの配置位置を固定することができるので、表示パネル用筐体の内部に表示パネルを安定して保持することができる。
【００１１】
また、請求項２に記載の発明に係る表示パネル用筐体の特徴は、前記底壁の周縁部に前記側壁と前記底壁とを離間させるスリットが形成されており、前記底壁と前記側壁とは部分的に連結されている点にある。
【００１２】
この請求項２に記載の発明によれば、前記側壁と前記底壁とを離間させるスリットが形成されていることにより、表示パネル用筐体の側壁に外力が加わっても、側壁がたわみ易くなり、外力を効果的に緩衝させることができる。
【００１３】
通常は、請求項３または４に記載のように、前記凸部の形成位置において前記底壁と前記側壁とが部分的に連結されていて、前記スリットの幅は前記凸部の突出幅とされているのが好ましい。このような態様によれば、表示パネル用筐体を成形する際に、前記凸部および前記スリットを一体成形することができる。
【００１４】
さらに、請求項５に記載の発明に係る表示パネル用筐体の特徴は、前記凸部は、前記各側壁のうちの少なくとも隣接する２つの側壁に形成されている点にある。
【００１５】
この請求項５に記載の発明によれば、表示パネル用筐体の内部に表示パネルを配置させる際に、各凸部に対向する液晶表示パネルの側面を、各凸部の先端面に当接させながら表示パネル用筐体の内部に配置させることにより、各凸部の先端面を表示パネルの配置位置の位置決め用の基準面として利用することができる。
【発明の効果】
【００１６】
以上述べたように、本発明に係る表示パネル用筐体によれば、表示パネル用筐体の側壁に外力が加わった場合であっても、この外力がそのまま表示パネルの側面に伝わってしまうことを緩衝することができ、これにより、表示パネルに割れ等の破損が発生してしまうのを防止することができる。
【発明を実施するための最良の形態】
【００１７】
以下、本発明に係る表示パネルの一実施形態を図１から図５を参照して説明する。
【００１８】
図１は、本実施形態に係る表示パネル用筐体、およびこの表示パネル用筐体の内部に収納された表示パネルの一例を示す模式的平面図、図２は、図１の表示パネル用筐体および表示パネルのＡ−Ａにおける模式的断面図、図３は、図１の表示パネル用筐体および表示パネルのＢ−Ｂにおける模式的断面図である。
【００１９】
図１、図２および図３に示すように、本実施形態に係る表示パネル用筐体１の内部には、一対のガラス等からなる矩形状の透明基板２を有する液晶表示パネル３が収納されるようになっており、両透明基板のうち一方の透明基板２ａは他方の透明基板２ｂと比較して平面形状において大きく形成された端子部４を有している。両透明基板の相互に対向する内面には、それぞれ透明電極が設けられており、各透明電極は端子部４に延設されて、電極端子とされている。そして、各透明電極は、各電極端子を介して、例えばフレキシブル配線基板６の電極にそれぞれ導電接続されるようになっている。
【００２０】
表示パネル用筐体１は、樹脂材料からなる矩形状の底壁８を有し、底壁８における液晶表示パネル３を支持する支持面８ａを除く中央部分であって、液晶表示パネル３における表示を行う表示領域および液晶表示パネル３の端子部４に対向する位置には、開口８ｂが形成されている。そして、液晶表示パネル３の底面３ａの周縁部は、両面テープ等の接着材９によって支持面８ａに固着されるようになっている。
【００２１】
開口８ｂの内部であって液晶表示パネル３の表示領域に対向する部分には、光学フィルムとして反射板１１、導光板１２、光拡散板１３が積層して収納されており、さらに、図４に示すように、開口８ｂの内部であって端子部４に対向する部分には、光源として複数のＬＥＤ１５が導光板１２の側面に対向するように配置されている。
【００２２】
また、表示パネル用筐体１は、液晶表示パネル３の各側面３ｂおよび底壁８の各側面８ｃに所定の間隙をもって対向する樹脂材料からなる４つの側壁１７を有し、各側壁１７のうち液晶表示パネル３の端子部４の端縁に対向して配置されている端子部側側壁１７ａには、端子部側側壁１７ａの長さ方向における中央部分であって液晶表示パネル３の側面３ｂに対向する位置に、フレキシブル配線基板６の他端部分を表示パネル用筐体１の外部に配置させるための切り欠き１８が形成されている。
【００２３】
各側壁１７の両端部分における液晶表示パネル３の各側面３ｂに対向する内面には、それぞれ表示パネルの配置方向に突出する樹脂材料からなる凸部２０が形成されており、各凸部２０は、所定の位置に配置された液晶表示パネル３の各側面３ｂに各凸部２０の先端面２０ａが当接し、各凸部２０の先端面２０ａによって液晶表示パネル３を支持可能とされている。
【００２４】
そして、底壁８の周縁部には、各凸部２０の突出幅を有するスリット２２が形成されており、端子部側側壁１７ａにおける切り欠き１８が形成されている位置の底壁８は、液晶表示パネル３の裏面に対向する部分と端子部側側壁１７ａとを連結する連結部２１とされている。
【００２５】
次に、本実施形態の作用について説明する。
【００２６】
本実施形態によれば、表示パネル用筐体１の底壁８は、その周縁部に各側壁１７に隣接するスリット２２が配置されているので、たとえ表示パネル用筐体１の外側から各側壁１７に対して外力が加わっても、側壁１７の内面が液晶表示パネル３の側面３ｂに当接してしまうのを防止することができる。また、外部から各側壁１７に加わった外力を、底壁８のスリット２２内の側面８ｃと各側壁１７との間隙によって緩衝させることができる。
【００２７】
これにより、表示パネル用筐体１の側壁１７に外力が加わった場合であっても、各側壁１７に加わった外力が液晶表示パネル３の側面３ｂに伝わってしまうのを低減し、液晶表示パネル３に割れ問うの破損が発生してしまうのを防止することができる。
【００２８】
したがって、表示パネル用筐体１の側壁１７に対して外力が加わった場合であっても、この外力がそのまま液晶表示パネル３の側面３ｂに伝わってしまうことを防止することができる。これにより、液晶表示パネル３に割れ等の破損が発生してしまうのを防止することができる。
【００２９】
さらに、各凸部２０は、各側壁１７の両端近接部分にそれぞれ形成されており、表示パネル用筐体１の各凸部２０の先端面２０ａは、液晶表示パネル３の各側面３ｂに当接し、各凸部２０の先端面２０ａによって液晶表示パネル３を支持可能とされている。また、各側壁１７および各凸部２０は樹脂材料により構成されている。このため、表示パネル用筐体１によれば、各凸部２０によって液晶表示パネル３を支持することにより、表示パネル用筐体１の内部における液晶表示パネル３の配置位置を規制することができ、液晶表示パネル３を安定して保持することができる。
【００３０】
なお、本実施形態においては、表示パネル用筐体１の内部において液晶表示パネル３をより安定して保持するために、液晶表示パネル３の底面３ａが表示パネル用筐体１の底壁８に接着材９を用いて固着されているが、前述のように、接着材９を用いずに液晶表示パネル３を所定の配置位置に固定することもできる。これにより、液晶表示パネル３を所定の配置位置に固定するために接着材９を用いることによるコストおよび手間を省略することができる。
【００３１】
また、本発明は前記実施形態に限定されるものではなく、必要に応じて種々変更することが可能である。
【００３２】
例えば、本実施形態においては、各凸部２０は、各側壁１７の両端近接部分にそれぞれ形成されており、表示パネル用筐体１の各凸部２０の先端面２０ａは、液晶表示パネル３の各側面３ｂに当接し、各凸部２０の先端面２０ａによって液晶表示パネル３を支持可能とされているが、凸部２０の数量や配置位置は本実施形態に限定されるものではない。例えば、図５に示すように、凸部２０を、各側壁１７のうち少なくとも隣接する２つの側壁１７に、その先端面２０ａが前記表示パネルの側面に当接するように形成してもよい。このような表示パネル用筐体１によれば、表示パネル用筐体１の内部に液晶表示パネル３を配置させる際に、各凸部２０に対向する液晶表示パネル３の側面３ｂを、各凸部２０の先端面２０ａに当接させながら表示パネル用筐体１の内部に配置させることにより、各凸部２０の先端面２０ａを液晶表示パネル３の配置位置の位置決め用の基準面として利用することができる。
【００３３】
また、本実施形態においては、表示パネル用筐体を樹脂材料により形成しているがこれに限定されず、金属材料等により形成することもできる。
【図面の簡単な説明】
【００３４】
【図１】本発明に係る表示パネル用筐体および内部に収納される表示パネルの一実施形態を示す模式的平面図
【図２】図１の表示パネル用筐体および表示パネルのＡ−Ａにおける模式的断面図
【図３】図１の表示パネル用筐体および表示パネルのＢ−Ｂにおける模式的断面図
【図４】図１の表示パネル用筐体において表示パネルを除いた状態を示す模式的平面図
【図５】本発明に係る表示パネル用筐体および内部に収納される表示パネルの他の実施形態を示す模式的平面図
【図６】従来の表示パネル用筐体および内部に収納される表示パネルの一例を示す模式的平面図
【図７】図６の表示パネル用筐体および表示パネルのＣ−Ｃにおける模式的断面図
【符号の説明】
【００３５】
１  表示パネル用筐体
２  透明基板
２ａ  一方の透明基板
２ｂ  他方の透明基板
３  液晶表示パネル
３ａ  底面
３ｂ  側面
４  端子部
６  フレキシブル配線基板
８  底壁
８ａ  支持面
８ｂ  開口
８ｃ  側面
９  接着材
１１  反射板
１２  導光板
１３  光拡散板
１５  ＬＥＤ
１７  側壁
１７ａ  端子部側側壁
１８  切り欠き
２０  凸部
２０ａ  先端面
２１  連結部
２２  スリット
【図１】
2007011078.tif 000003
【図２】
2007011078.tif 000004
【図３】
2007011078.tif 000005
【図４】
2007011078.tif 000006
【図５】
2007011078.tif 000007
【図６】
2007011078.tif 000008
【図７】
2007011078.tif 000009